(57)【要約】【課題】特別に補強部材を設けることなしに、軽量で剛性の高いセンタコンソールの構造を提供する。【解決手段】センタコンソールの本体部１と、該本体部１に嵌め込まれる収納部５と、該収納部５の蓋部６とを有するセンタコンソールの構造である。  そして、前記収納部５は、上縁に設けた前記本体部１に対する取付け部５１と、下部に設けた車体に対する固定部５２，５２とを備え、前記蓋部６は、前記取付け部５１又は前記取付け部近傍の前記本体部に取り付けられるとともに、前記本体部１は前記固定部５２，５２を介して車体９に固定される。【選択図】図１
2008143415.tif 000002
【特許請求の範囲】
【請求項１】
センタコンソールの本体部と、該本体部に嵌め込まれる収納部と、該収納部の蓋部とを有するセンタコンソールの構造であって、
前記収納部は、上縁に設けた前記本体部に対する取付け部と、下部に設けた車体に対する固定部とを備え、
前記蓋部は、前記取付け部又は前記取付け部近傍の前記本体部に取り付けられるとともに、前記本体部は前記固定部を介して車体に固定されることを特徴とするセンタコンソールの構造。
【請求項２】
前記固定部は、前記収納部の車幅方向側面から車両下方向に腕状に延設され、前記本体部と前記車体に挟まれて共締めされることを特徴とする請求項１に記載のセンタコンソールの構造。
【発明の詳細な説明】
【技術分野】
【０００１】
本発明は、車両の車室内に搭載されるセンタコンソールの構造に関するものである。
【背景技術】
【０００２】
従来、特許文献１に示されているように、車両の車室内における収納容器として利用可能な箱を形成するために、車両前後方向に長尺状に延設される２つの側壁を設けて構造体とすることを特徴とするコンソールの構造が知られている。
【０００３】
この従来のコンソールの構造では、収納容器の蓋に乗員が肘をつくなどして載荷された際に、収納容器のみでは荷重を支持することができないため、収納容器の両側の側壁間に横断部材を架け渡すなどして収納容器を補強している。
【０００４】
また、この従来のコンソールの構造は、軽量化のために、側壁に複数の円形の切り抜きを有しているとともに、横断部材は格子形に形成されている。
【特許文献１】特表２００５−５１１３７６号公報
【発明の開示】
【発明が解決しようとする課題】
【０００５】
しかしながら、上記した特許文献１の従来のセンタコンソールの構造では、支持枠体である側壁及び横断部材と表面の化粧用パネル部材とが別々に設けられており、部品の点数が多くなり、取り付けに手間がかかるという問題があった。
【０００６】
また、収納容器の蓋は、肘掛などとしても用いるため、作用する荷重が大きくなり、高い剛性が必要となる。
【０００７】
このために側壁と側壁の間に横断部材を設けるなどの補強をおこなうことで、全体の部品点数が多くなるとともに、重量が大きくなってしまうという問題があった。
【０００８】
そこで、本発明は、特別に補強部材を設けることなしに、軽量で剛性の高いセンタコンソールの構造を提供することを目的としている。
【課題を解決するための手段】
【０００９】
前記目的を達成するために、本発明のセンタコンソールの構造は、センタコンソールの本体部と、該本体部に嵌め込まれる収納部と、該収納部の蓋部とを有するセンタコンソールの構造であって、前記収納部は、上縁に設けた前記本体部に対する取付け部と、下部に設けた車体に対する固定部とを備え、前記蓋部は、前記取付け部又は前記取付け部近傍の前記本体部に取り付けられるとともに、前記本体部は前記固定部を介して車体に固定されることを特徴としている。
【００１０】
また、前記固定部は、前記収納部の車幅方向側面から車両下方向に腕状に延設され、前記本体部と前記車体に挟まれて共締めされることが好ましい。
【発明の効果】
【００１１】
このように構成された本発明のセンタコンソールの構造は、収納部の上縁に設けた本体部に対する取付け部と、収納部の下部に設けた車体に対する固定部とを備えており、蓋部はこの取付け部又は取付け部近傍の本体部に取り付けられるとともに、本体部は固定部を介して車体に固定されている。
【００１２】
このため、センタコンソール上方などから作用する荷重を、センタコンソール本体部と収納部の両方の剛性を利用して支持することができる。
【００１３】
したがって、従来のように特別に補強部材を設ける必要がなくなり、手間をかけずにセンタコンソールを取り付けることができる。
【００１４】
また、金属製などの重い補強部材を用いないため、軽量なセンタコンソールとすることができる。
【００１５】
さらに、収納部の車幅方向側面から車両下方向に伸びる腕状部材を用いて、センタコンソール本体及び収納箱を車体に共締めによって固定することで、別々に固定するよりも部品点数を減らすことができ、取り付けに手間の少ないセンタコンソールの構造とすることができる。
【発明を実施するための最良の形態】
【００１６】
以下、本発明の最良の実施の形態について図面を参照して説明する。
【００１７】
まず、図１及び図２を用いてセンタコンソールＣの全体構成を説明する。このセンタコンソールＣは、運転席と助手席との間に設置されるものであり、車両前後方向に延びる長尺状の本体部１と、この本体部１の車両前方側の半円状の開口部に嵌め込まれたパッド２と、このパッド２を介して本体部１に取り付けられたシフトレバー（図示せず）用の仕上げ部材３と、本体部１の中央近傍の長尺状の開口部に嵌め込まれたサイドブレーキ（図示せず）用の仕上げ部材４と、本体部１の中央近傍の矩形状の開口部に嵌め込まれたカップホルダー７と、本体部１の中央近傍でカップホルダー７の車両前方側の矩形状の開口部に嵌め込まれたスイッチ部８と、本体部１の車両後方側の矩形状の開口部に嵌め込まれた収納部５と、この収納部５の上方を蓋う蓋部６とを備えている。
【００１８】
この本体部１は、樹脂などによって、断面コの字の長尺状に形成され、パッド２、サイドブレーキ用の仕上げ部材４、収納部５、カップホルダー部７及びスイッチ部８を嵌め込むための大小の開口部を有しており、運転席と助手席の間に長尺方向が車両前後方向となるように配設される。
【００１９】
また、本体部１は樹脂などによって形成されるため、ねじ孔の取付け部などを一体に形成することができ、軽量化できるとともに、部品点数を少なくすることで取り付けの際の手間を少なくすることができる。
【００２０】
そして、本体部１の車両前方側は、インストルメントパネル（図示せず）に嵌め込まれて、ねじなどによって固定される構造となっており、センタコンソールＣを車両前後方向や車幅方向に対して固定することができる。
【００２１】
また、パッド２は、本体部１の車両前方側に嵌め込まれており、このパッド２を介してシフトレバー用の仕上げ部材３が取り付けられるため、シフトレバー用の仕上げ部材３の取り付けが容易となる。
【００２２】
さらに、サイドブレーキ用の仕上げ部材４を用いることで、サイドブレーキを本体１に貫入した後に、サイドブレーキ用の仕上げ部材４を取り付けて仕上げることができる。
【００２３】
そして、カップホルダー部７は、ロール状に収納できる蓋を備えている。このため、使用時において蓋が邪魔になることがないとともに、蓋を収納するためのスペースを小さくできるため、収納箱５などに使用するためのスペースを大きくとることができる。
【００２４】
また、スイッチ部８はカップホルダー部７の車両前方側に嵌め込まれるため、運転席から無理のない姿勢で使用できる。
【００２５】
そして、本実施の形態のセンタコンソールＣには、図１に示すように、本体部１の車両後方側の開口部に収納部５が嵌め込まれるとともに、この収納部５の蓋部６が取り付けられている。
【００２６】
この収納部５は、樹脂などによって箱状に形成された内部に収納スペース５４が設けられるとともに、上縁部の車両前方側及び車両後方側に本体部１に対する薄板状の取付け部５６，５６，５１と、収納部５の車幅方向側面の車両前後方向の中央近傍下部から車両下方向に伸びる腕状の固定部５２，５２とを備えている。
【００２７】
この収納スペース５４は、上方を蓋部６によって覆われており、蓋部６を閉めた状態では中が見えないため、小物を収納した際にもセンタコンソールＣの美観を損ねることがない。
【００２８】
なお、収納スペース５４は樹脂などによって形成されるため、箱状の内部には容易に間仕切りなどを設けることができる。
【００２９】
このため、間仕切りによって収納スペース５４に収納される小物を整理しやすくなるとともに、収納部５自体の剛性を高めることもできる。
【００３０】
また、収納部５に設けられる薄板状の取付け部５６，５６は、樹脂などによって箱状の収納部５と一体に形成され、箱状の収納部５の車両前方側の上縁に、車両前方側に向かって突出するように設けられる。
【００３１】
さらに、この薄板状の取付け部５６，５６は、それぞれの面の中央近傍にねじ止めするための孔を備えており、この孔に車両下方からねじ５５，５５を挿通して本体部１に固定することで、収納部５を本体部１に固定することができる。
【００３２】
なお、本体部１には取付け部５６，５６に対応する位置にねじ５５，５５を固定するための孔を備えた突起が設けられており、本体部１の強度を損ねることなくねじ５５，５５を固定することができる。
【００３３】
そして、この２つの薄板状の取付け部５６，５６は、収納部５の上縁に車幅方向に間隔を離して設けられることで、本体部１の車幅方向側面に近接している。
【００３４】
このため、荷重が作用した場合に弱点となる本体部１の隅角部に近い位置で固定することとなり、本体部１の隅角部を補強することができる。
【００３５】
また、薄板状の取付け部５１は、樹脂などによって箱状の収納部５と一体に形成され、箱状の収納部５の車両後方側の上縁に車両後方側に向かって突出するように設けられる。
【００３６】
この薄板状の取付け部５１は、板面の車幅方向端部近傍に本体部１に固定するためのねじ孔を両側に１つずつ備えるとともに、それらの車幅方向内側に蓋部６を固定するためのねじ孔を１つずつ備えている。
【００３７】
なお、この取付け部５１において、本体部１に固定するためのねじ孔を車幅方向端部近傍に備えることで、本体部１に固定するためのねじ孔を、本体部１の車幅方向側面に近接させることができる。
【００３８】
このため、荷重が作用した場合に弱点となる本体部１の隅角部に近い位置で固定することとなり、本体部１の隅角部を補強することができる。
【００３９】
そして、図３に示すように、取付け部５１に設けられた上記の本体部１に固定するための２つのねじ孔に、下方からねじ５３，５３を挿通して本体部１に固定することで、収納部５を本体部１に固定することができる。
【００４０】
なお、本体部１には上記２つのねじ孔に対応する位置にねじ５３，５３を固定するための孔を備えた突起が設けられており、本体部１の強度を損ねることなく、ねじ５３，５３を固定することができる。
【００４１】
また、図１及び図３に示すように、蓋部６は、樹脂などによって収納部５を蓋うように形成され、車両後方側の端部近傍に金属製などのヒンジ部６１を備えている。
【００４２】
この蓋部６は、収納部５の収納スペース５４の上方を蓋うことで中を見えなくするとともに、肘掛として利用可能となっている。
【００４３】
また、ヒンジ部６１は、車幅方向両端に回転軸を備えているため、蓋部６を収納部５に対して回動自在の構造とすることができる。
【００４４】
このヒンジ部６１は、回動軸構造の他に、取付け構造を備えており、取付け構造は、本体部１及び収納部５に固定するためのねじ孔を２つ備えている。
【００４５】
そして、図３に示すようにこのヒンジ部６１に設けられたねじ孔に、車両上方からねじ６２，６２を挿通するとともに、本体部１に設けられたねじ孔にも挿通し、最後に収納部５に設けられた取付け部５１に固定することで、蓋部６と本体部１と収納部５とを一体に固定することができる。
【００４６】
なお、前記した本体部１には、このヒンジ部６１が納まるように凹部が設けられ、この凹部にねじ孔が設けられているため、ヒンジ部６１の納まりがよく、美観が向上するとともに、本体部１と蓋部６との固定度を高めることができる。
【００４７】
また、図１及び図４に示すように、腕状の固定部５２，５２は、樹脂などによって箱状の収納部５と一体に形成され、収納部５の車幅方向側面の車両前後方向の中央近傍下部から車両下方向に延びている。
【００４８】
なお、この腕状の固定部５２，５２は、薄板状に形成され、先端部に至る中途部の２箇所で屈曲されることで、先端部の車幅方向位置を変えることができる。
【００４９】
また、腕状の固定部５２，５２は、収納部５を車体９に対して固定するためのもので、それぞれの先端部近傍には車幅方向に貫通するねじ孔が設けられている。
【００５０】
そして、図４に示すように、本体部１の車幅方向側面及び車体９には、このねじ孔に対応する位置にねじ孔が設けられており、本体部１の外側からねじ１２，１２を挿通して固定することで、本体部１と収納部５と車体９とが一体となって固定される。
【００５１】
この際、車体９の車幅方向の幅と収納部５の車体方向の幅とが異なる場合でも、固定部５２，５２が屈曲されていることで、固定部５２，５２の先端部の位置を変えることができるため、収納部５を車体９に固定することが可能となる。
【００５２】
上記したように、腕状の固定部５２，５２が収納部５の下部から車両下方向に延設されることで、前記した取付け部５１とこの固定部５２，５２の間にある収納部５の剛性を有効に利用して本体部を補強することができる。
【００５３】
次に、本実施の形態のセンタコンソールの構造の作用について、図１を参照しながら説明する。
【００５４】
このように構成された本実施の形態のセンタコンソールの構造は、図１に示すように、収納部５の車両後方側の上縁に本体部１に対する取付け部５１と、収納部５の車幅方向側面の車両前後方向の中央近傍下部から車両下方向に延びる腕状の固定部５２，５２とを供えている。
【００５５】
そして、取付け部５１を介して、蓋部６と本体部１と収納部５とを一体に固定することができるとともに、腕状の固定部５２，５２を用いて、本体部１と収納部５と車体９とが一体となって固定される。
【００５６】
このように、同一の取付け部５１及び固定部５２，５２を介して本体部１と収納部５とが固定されることで、収納部５と本体部１が合成部材として挙動するため、蓋部６に作用した荷重は収納部５と本体部１に分散されて伝達されることになる。
【００５７】
この場合において、収納部５の剛性は、本体部１と比べて大きいため、蓋部６に作用した荷重は、収納部５により多く作用することとなる。
【００５８】
すなわち、収納部５は、本体部１よりも部材寸法が小さいことや、箱状に形成されていることで、本体部１よりも剛性が大きくなっている。
【００５９】
このように、同一の取付け部５１及び固定部５２，５２を有することで、収納部５と本体部１とが合成されるため、蓋部６に車両上方や車幅方向から荷重が作用すると、収納部５と本体部１の変形量は略等しくなり、フックの法則によって相対的に剛性が大きい収納部５により多くの荷重が作用することとなる。
【００６０】
上記したように、蓋部６に作用した荷重は、本体部１よりも収納部５に多く作用するため、特別に補強部材等を設けることなく、本体部１は補強されることとなる。
【００６１】
なお、この場合、収納部５は部材寸法が小さいことや箱状に形成されることで剛性が大きいため、特に補強することなく荷重を支持することができる。
【００６２】
そして、収納部５に設けられた同一の取付け部５１を介して、蓋部６と本体部１とが固定されるため、部品点数を少なくすることができるとともに、取付けの手間を少なくすることができる。
【００６３】
すなわち、一方で蓋部６と収納部５とを固定し、他方で収納部５と本体部１とを固定する場合には、固定箇所が４箇所となるが、同一の取付け部５１とねじ６２，６２を用いて蓋部６と収納部５と本体部１とを固定すると、固定箇所は２箇所となるため、ねじ止めの箇所も少なくなり、部品点数を少なくすることができるとともに、取付けの工数が少なくなる。
【００６４】
同様に、収納部５に設けられた同一の固定部５２，５２を介して、本体部１と車体９とが固定されるため、部品点数を少なくすることができるとともに、取付けの手間を少なくすることができる。
【００６５】
すなわち、一方で収納部５と本体部１とを固定し、他方で収納部５と車体９とを固定する場合には、固定箇所が４箇所となるが、同一の固定部５２，５２とねじ１２，１２を用いて本体部１と収納部５と車体９とを固定すると、固定箇所は２箇所となるため、ねじ止めの箇所も少なくなり、部品点数を少なくすることができるとともに、取付けの工数が少なくなる。
【００６６】
さらに、従来のように補強部材として金属製の枠体などを設けることなく、樹脂性などの本体部１と樹脂製などの収納部５を用いているため、センタコンソールＣの全体重量を軽くすることができる。
【００６７】
以上、図面を参照して、本発明の最良の実施の形態を詳述してきたが、具体的な構成は、この実施の形態に限らず、本発明の要旨を逸脱しない程度の設計的変更は、本発明に含まれる。
【００６８】
例えば、前記実施の形態では、蓋部６はヒンジ部６１を用いて回動自在に取り付けられる場合について説明したが、これに限定されるものではなく、スライド式などいずれの形態であってもよい。
【００６９】
また、前記実施の形態では、取付け部５１として薄板状の部材を用いた場合を示したが、薄板状の部材に限定されるものではなく、取付け部５１の面外方向にリブを設けて、取付け部５１自体の車両上下方向の剛性を高めてもよいし、車両上下方向に厚みのある突起状の部材でもよい。
【００７０】
また、前記実施の形態では、薄板状の取付け部５１の位置は、収納部５の車両後方の上縁の場合を示したが、これに限定されるものではなく、収納部５の車幅方向の上縁に位置するものでもよい。
【００７１】
この場合、蓋部６のヒンジ部６１も車幅方向の上縁に取付けられることとなるため、蓋部６は横に開くように構成することができる。
【００７２】
さらに、取付け部５１を収納部５の車両前方の上縁に設けることで、蓋部６のヒンジ部６１が車両前方に位置するものでもよい。
【００７３】
そして、前記実施の形態では、蓋部６は、収納部５と本体部１との取付け箇所近傍の本体部１に対して取り付けられているが、これに限定されるものではなく、収納部５に設けられた取付け部５１に直接取り付けられるものであっても同様の効果を得ることができる。
【００７４】
また、前記実施の形態では、固定部５２，５２を収納部５の下部の車幅方向側面に１箇所設ける場合を示したが、これに限定されるものではなく、複数箇所設けることで固定度を高めてもよい。
【００７５】
さらに、前記実施の形態では、固定部５２，５２は、樹脂などによって薄板状に形成される場合を示したが、これに限定されるものではなく、リブを設けて車幅方向の剛性を高めるように補強してもよいし、車幅方向に厚みを有する突起状でもよい。
【図面の簡単な説明】
【００７６】
【図１】本発明の最良の実施の形態のセンタコンソールの構造を一部破断して説明する分解図である。
【図２】本発明の最良の実施の形態のセンタコンソールの構造を説明する斜視図である。
【図３】図２のＡ−Ａ矢視方向で見たセンタコンソールの構造を示す断面図である。
【図４】図２のＢ−Ｂ矢視方向で見たセンタコンソールの構造を示す断面図である。
【符号の説明】
【００７７】
Ｃ            センタコンソール
１            本体部
５            収納部
５１          取付け部
５２          固定部
６            蓋部
９            車体
【図１】
2008143415.tif 000003
【図２】
2008143415.tif 000004
【図３】
2008143415.tif 000005
【図４】
2008143415.tif 000006